(57)【要約】      （修正有）【課題】枠体を用いないフレームにおいて、透明体と裏板を容易に挟持可能であるとともに衝撃等を受けた場合でも脱落することがなく、更に使用に際して怪我等の事故を未然に防止することが可能な連結手段を備えたフレームの提供。【解決手段】透明体２と裏板３と重ね合わした状態の透明体２及び裏板３をそのコーナー部で挟持する挟持用クリップ４を備えたフレームであって、裏板３の裏面四隅近傍に係止孔を備え、挟持用クリップ４は、透明体２の表面側四隅近傍に係止される係止用縁部５と、係止用縁部５の上端に後方側へ向けて連設された、透明体２及び裏板３の四隅側面部分を覆うカバー部６と、カバー部６の後方側に下方側へ連設されたクリップ部を具備し、クリップ部は、カバー部６に下方側に向けて連設された胴部８と、胴部８の下方側に突設した、前記係止孔に係止可能な係止爪部９と、を有している。【選択図】図３
0003118907.tif 000002
【実用新案登録請求の範囲】
【請求項１】
透明体（２）と、
該透明体（２）に重ね合わされる、前記透明体（２）とともに絵画、写真等を挟持するための裏板（３）と、
重ね合わした状態の前記透明体（２）及び裏板（３）をコーナー部で挟持するための挟持用クリップ（４）と、を備えた、写真、絵画等を挟み込んで支持するためのフレームであって、
前記裏板（３）はその裏面における四隅近傍に係止孔（３０１）を備え、
前記挟持用クリップ（４）は、
裏板（３）を重ね合わせた状態における透明体（２）の表面側の四隅近傍に係止される係止用縁部（５）と、
該係止用縁部（５）の上端に後方側へ連設された、重ね合わした状態における前記透明体（２）及び裏板（３）の四隅の側面部分を覆うカバー部（６）と、
該カバー部（６）の後方側に下方側へ向けて連設された、前記係止用縁部（５）とともに重ね合わした状態における前記透明体（２）及び裏板（３）の四隅を挟持するクリップ部（７）と、具備し、
前記クリップ部（７）は、前記カバー部（６）に下方側に向けて連設された胴部（８）と、該胴部（８）の下方側に突設した、前記係止孔（３０１）に係止可能な係止爪部（９）と、を有したことを特徴とするフレーム。
【請求項２】
透明体（２）と、
該透明体（２）に重ね合わされる、前記透明体（２）とともに絵画、写真等を挟持するための裏板（３）と、
重ね合わした状態の前記透明体（２）及び裏板（３）をコーナー部で挟持するための挟持用クリップ（４）と、を備えた、写真、絵画等を挟み込んで支持するためのフレームであって、
前記裏板（３）はその裏面における四隅近傍に係止孔（３０１）を備え、
前記挟持用クリップ（４）は、
裏板（３）を重ね合わせた状態における透明体（２）の表面側の四隅近傍に係止される係止用縁部（５）と、
該係止用縁部（５）の上端に後方側へ連設された、重ね合わした状態における前記透明体（２）及び裏板（３）の四隅の側面部分を覆うカバー部（６）と、
該カバー部（６）の後方側に下方側へ向けて連設された、前記係止用縁部（５）とともに重ね合わした状態における前記透明体（２）及び裏板（３）の四隅を挟持するクリップ部（７）と、具備し、
前記クリップ部（７）は、前記カバー部（６）に下方側に向けて連設された胴部（８）と、該胴部（８）に突設した、前記裏板（３）を透明体（２）側へ付勢するための押圧部（１０）と、前記胴部（８）における下方側に突設した、前記係止孔（３０１）に係止可能な係止爪部（９）と、を有することを特徴とするフレーム。
【考案の詳細な説明】
【技術分野】
【０００１】
本考案はフレームに係り、より詳しくは、透明体とこの透明体に重ね合わされる裏板とを用いるフレームにおいて、枠体を用いること無く、容易に透明体と裏板とを重ね合わせた状態で維持可能にするとともに、使用に際しての事故等を未然に防止可能としたフレームに関する。
【背景技術】
【０００２】
従来から、写真、絵画等を壁等に飾る場合にはフレームが用いられている。即ち、このフレームは、長尺状のフレーム材を多角形状に枠組みすることにより構成された枠体と、この多角形状に枠組みされた枠体内に支持されるとともに、写真、絵画等を挟み込んで支持することが可能な透明体および裏板を備え、透明体と裏板の間に写真、絵画等を挟み込むことにより、フレームに写真、絵画等を支持し、その後このフレームを壁等に掛けることにより、写真、絵画等を所望する箇所に飾ることを可能としている。
【０００３】
しかしながら、このように構成されるフレームに、例えば絵画、写真等を飾る場合には、絵画、写真等のイメージを損なわないようにする必要があるが、従来のフレームでは、前述したように、枠体に透明体及び裏板を係止する構成であったために、枠体の色、模様等によっては、透明体と裏板で挟持した絵画、写真等のイメージが損なわれてしまうことがあり、このことは、枠体の色や模様と絵画、写真等とが不釣り合いな場合等に起こり得ることである。
【０００４】
一方、このような事態を防止するためには絵画、写真等と釣り合う色や模様の枠体を選ぶことが望ましいが、このような作業は煩わしさに耐えないとともに、絵画、写真等を選んだ後にフレームを選ぶ必要があるために、一度使用したフレームに絵画、写真等を入れ替えることが事実上困難となってしまう。
【０００５】
また、従来のフレームでは、透明体の周縁部を枠体の裏面に形成した載置棚部に係止する構成としていたため、透明体の周縁部全域が枠体に隠れてしまい、透明体の全体を有効に使用することができないという問題点も指摘されている。
【０００６】
そのため、本出願人は過去において、連結手段を用いて透明体と裏板とを重ね合わせた状態で維持可能としたフレームを提案した。そして、これによれば、従来のフレームで必須とされた枠体を無くすることができ、額装する絵画、写真等に釣り合う枠体を備えたフレームを選ぶ必要も無くなり、透明体の全体を有効に活用することが可能となった。
【特許文献１】実用新案登録第３１１２４９８号公報
【考案の開示】
【考案が解決しようとする課題】
【０００７】
ところで、連結手段により透明体と裏板とを重ね合わせた状態で維持する場合には、例えば、透明体と裏板をその周縁部において挟持可能な挟持部材を用いることが考えられるが、単に挟持したのみでは衝撃等により挟持部材が外れてしまうおそれが十分に考えられる。
【０００８】
また、枠体を用いずに、透明体と裏板とを重ね合わせた状態で維持した場合には、透明体及び裏板のコーナー部が露出してしまい、特に透明体としてガラス等を用いた場合には、この露出したコーナー部により怪我等をしてしまうことも十分に考えられる。
【０００９】
そこで、本考案は、枠体を用いないフレームにおいて、透明体と裏板とを容易に挟持可能であるとともに、衝撃等を受けた場合でも脱落することがなく、更に使用に際しての怪我等の事故を未然に防止することが可能な連結手段を備えたフレームを提供することを課題としている。
【課題を解決するための手段】
【００１０】
請求項１に記載の本考案のフレームは、透明体と、該透明体に重ね合わされる、前記透明体とともに絵画、写真等を挟持するための裏板と、重ね合わした状態の前記透明体及び裏板をコーナー部で挟持するための挟持用クリップと、を備えた、写真、絵画等を挟み込んで支持するためのフレームであって、
前記裏板はその裏面における四隅近傍に係止孔を備え、
前記挟持用クリップは、
裏板を重ね合わせた状態における透明体の表面側の四隅近傍に係止される係止用縁部と、
該係止用縁部の上端に後方側へ連設された、重ね合わした状態における前記透明体及び裏板の四隅の側面部分を覆うカバー部と、
該カバー部の後方側に下方側へ向けて連設された、前記係止用縁部とともに重ね合わした状態における前記透明体及び裏板の四隅を挟持するクリップ部と、具備し、
前記クリップ部は、前記カバー部に下方側に向けて連設された胴部と、該胴部の下方側に突設した、前記係止孔に係止可能な係止爪部と、を有したことを特徴としている。
【００１１】
また、請求項２に記載の本考案のフレームは、透明体と、該透明体に重ね合わされる、前記透明体とともに絵画、写真等を挟持するための裏板と、重ね合わした状態の前記透明体及び裏板をコーナー部で挟持するための挟持用クリップと、を備えた、写真、絵画等を挟み込んで支持するためのフレームであって、
前記裏板はその裏面における四隅近傍に係止孔を備え、
前記挟持用クリップは、
裏板を重ね合わせた状態における透明体の表面側の四隅近傍に係止される係止用縁部と、
該係止用縁部の上端に後方側へ連設された、重ね合わした状態における前記透明体及び裏板の四隅の側面部分を覆うカバー部と、
該カバー部の後方側に下方側へ向けて連設された、前記係止用縁部とともに重ね合わした状態における前記透明体及び裏板の四隅を挟持するクリップ部と、具備し、
前記クリップ部は、前記カバー部に下方側に向けて連設された胴部と、該胴部に突設した、前記裏板を透明体側へ付勢するための押圧部と、該胴部の下方側に突設した、前記係止孔に係止可能な係止爪部と、を有したことを特徴としている。
【考案の効果】
【００１２】
請求項１に記載の本考案のフレームでは、重ね合わせた状態における透明体と裏板をそのコーナー部分で挟持するための挟持用クリップを備えるとともに、裏板の裏面における四隅近傍には係止孔を備え、挟持用クリップは、裏板を重ね合わせた状態における透明体の表面側の四隅近傍に係止される係止用縁部と、係止用縁部の上端に後方側へ向けて連設された、重ね合わした状態における前記透明体及び裏板の四隅の側面部分を覆うカバー部と、このカバー部の後方側に連設された、前記係止用縁部とともに重ね合わした状態における前記透明体及び裏板の四隅を挟持するクリップ部とを具備しており、更に、クリップ部は、前記カバー部に下方側に向けて連設された胴部と、該胴部の下方側に突設した、前記係止孔に係止可能な係止爪部とを有しており、これにより、透明体と裏板とを重ね合わせた状態で、挟持用クリップにおける係止用縁部を透明体の表面の四隅部分に係止するとともに、クリップ部における係止爪部を裏板の係止孔に係止することで、透明体と裏板とを、重ね合わせた状態において、そのコーナー部で挟持可能としている。そのために、透明体と裏板とを容易に挟持可能であるとともに衝撃等を受けた場合でも挟持手段が脱落することがなく、更に、互いに重ね合わせた状態の透明体及び裏板のコーナー部が露出することがなく怪我等の事故を未然に防止することも可能である。
【００１３】
また、請求項２に記載の本考案のフレームでは、前記請求項１に記載のフレームにおいて、クリップ部は、前記カバー部に下方側に向けて連設された胴部と、該胴部の下方側に突設した、前記係止孔に係止可能な係止爪部とを有するとともに、更に、裏板を透明体側へ付勢するための押圧部を備えているため、透明体と裏板との密着度を高めることが可能である。
【考案を実施するための最良の形態】
【００１４】
本考案のフレームでは、透明体と、この透明体に重ね合わされる裏板とを備えており、透明体及び裏板により、絵画、写真等を挟持可能としている。
【００１５】
また、本考案のフレームでは、更に、透明体と裏板を、重ね合わされた状態においてそのコーナー部で挟持するための挟持用クリップを備えている。
【００１６】
そして、前記裏板の裏面には、その四隅近傍に係止孔を形成しており、挟持用クリップは、裏板を重ね合わせた状態における透明体の表面側の四隅近傍に係止される係止用縁部と、この係止用縁部の上端に後方側へ向けて連設された、重ね合わした状態における前記透明体及び裏板の四隅の側面部分を覆うカバー部と、このカバー部の後方側に下方側へ向けて連設された、前記係止用縁部とともに、重ね合わした状態における前記透明体及び裏板の四隅を挟持するクリップ部とを具備している。
【００１７】
また、クリップ部は、前記カバー部に下方側に向けて連設された胴部と、この胴部の下方側に突設した係止爪部を有しており、係止爪部は、係止用縁部を透明体の表面に係止した際に裏板側に向くとともに前記係止孔に係止可能な配置で、胴部の下方側に突設されている。
【００１８】
ここで、クリップ部における胴部に、係止爪部の突設方向と同方向へ向けて、裏板を透明体側へ付勢するための押圧部を突設するとよく、これにより、透明体と裏板とを密に重ね合わせることが可能となる。
【実施例１】
【００１９】
本考案のフレームの実施例について図面を参照して説明すると、図１は、本実施例のフレームを正面側から示した斜視図であり、また、図２は、本実施例のフレームの背面図であり、図において１が本実施例のフレームである。
【００２０】
そして、本実施例のフレーム１では、略長方形とした透明体２を備えており、本実施例においてこの透明体２は、厚さ１〜２ｍｍ程度のガラス製としており、横寸法約１３センチメートル、縦寸法約１８センチメートルとしている。但しこの寸法は限定されるものではなく、挟持する絵画、写真等のサイズに合わせて任意である。
【００２１】
次に、図において３は裏板である。即ち、本実施例のフレーム１では、前記透明体２とともに絵画、写真等を挟持するための裏板を備えており、本実施例においては、厚さ３ｍｍ前後の平板を用いておりその外形寸法は前記透明体２とほぼ同一としている。
【００２２】
ここで、図４は前記裏板３を背面から示した斜視図であり、図において３０１は係止孔である。即ち、本実施例において前記裏板３は係止孔３０１を有しており、本実施例においては、裏板３における四隅近傍のそれぞれに係止孔３０１を形成し、この係止孔３０１は、裏板３を貫通した貫通孔としている。なお、係止孔３０１の形状は特に限定されず、後述するクリップ部の係止爪部が係止可能であれば、いずれの形状としてもよい。
【００２３】
次に、図１及び図２において４は挟持用クリップであり、この挟持用クリップ４は、前記透明体２及び裏板３を、重ね合わせた状態で維持するために用いられる。
【００２４】
ここで、前記挟持用クリップ４について詳細に説明すると、図３は、図２におけるＡ−Ａ線断面を拡大して示した図であり、また、図５は前記挟持用クリップ４の正面側斜視図であり、図６は前記挟持用クリップ４の背面側斜視図である。そして、本実施例において前記挟持用クリップ４は、透明体２の表面側の四隅近傍に係止される係止用縁部５を有しており、この係止用縁部５は、互いに直交するように連設された２枚の板状としている。
【００２５】
また、この係止用縁部５の上端部には、後方側へ向けて、重ね合わせた状態における透明体２及び裏板３の四隅の側部をカバーするカバー部６が連設されている。そして、このカバー部６は、互いに直交するように連設された２枚の板状としており、図１に示すように、重ね合わせた状態における透明体２及び裏板３の四隅の側部をカバー可能な寸法としている。
【００２６】
そして、このカバー部６の後方側には、下方側に向けて、前記係止用縁部５とともに、重ね合わした状態における前記透明体２及び裏板３の四隅を挟持するクリップ部７が連設されている。
【００２７】
ここで、このクリップ部７について説明すると、本実施例においてクリップ部７は、前記カバー部６に下方側に向けて連設された胴部８を有しており、この胴部８は、全体をわずかに湾曲させつつ、係止用縁部５を透明体２の表面に係止した際に下端部分が前記裏板３に当接するように変形させている。即ち、前記胴部８は、反カバー部側の斜め下方向へ向けて連設されるとともに、全体をわずかに湾曲させつつ、その下端部が前記裏板３に当接可能としている。
【００２８】
次に、前記胴部６の下端には、係止爪部９が、係止用縁部５を透明体２に係止した際に裏板３側となる方向へ向けて突設されており、この係止爪部９を前記裏板３に形成した係止孔３０１内に係止可能としている。
【００２９】
ここで、前記係止爪部９について説明すると、本実施例において前記係止爪部９は、係止用縁部５を透明体２の表面に係止した際に裏板３側となる方向へ向けて胴部８の下端から連設した連設部９０１と、この連設部９０１の先端部から前記胴部８側へ向けて連設した舌部９０２とを有している。即ち、前記係止爪部９は、前記連設部９０１を折りたたんだ形態をしており、その折りたたんだ部分近傍が前記係止孔３０１内に挿入されることとしている。
【００３０】
次に、図において１０は押圧部である。即ち、本実施例のフレーム１では、前記胴部８の中央部分に、係止用縁部５を透明体２の表面に係止した際に裏板３側となる方向へ向けて押圧部１０を連設しており、この押圧部１０により裏板３を押圧し、これにより透明体２と裏板３との密着度を維持している。
【００３１】
ここで、前記押圧部１０について説明すると、本実施例において前記押圧部１０は、前記胴部８を押し出すことにより形成し、これにより、胴部８側へ変形可能とし、板バネ状の作用を有している。そして、裏板３を重ね合わせた状態の透明体２の表面に係止用縁部５を係止した状態においては、押圧部１０が、裏板３を透明体２側へ付勢可能としている。そのために、この押圧部１０の存在により、裏板３と透明体２とを、より密着させて維持することを可能としている。
【００３２】
また、この押圧部１０の存在により、カバー部６の奥行き寸法に余裕を持たせることができ、これにより、挟持用クリップ４に汎用性を持たせることが可能となる。
【００３３】
即ち、押圧部１０が無いとした場合には、透明体２と裏板３とを重ね合わせた状態で維持するためには、カバー部６の奥行き寸法、即ち、フレーム１の厚さ方向の寸法を、透明体２と裏板３とを重ね合わせた場合の厚み寸法と同等の寸法にしなければないが、このとき、透明体２、裏板３の厚さ寸法は、強度の関係もあり、外形寸法に応じて異なったものにせざるを得ない。即ち、外形寸法が大きい場合には厚さ寸法も大きくせざるを得ない。
【００３４】
そうすると、押圧部１０を備えない場合には、厚さの異なる透明体２，裏板３のそれぞれに対応させた奥行き寸法のカバー部６を用意しなければならなくなり、煩わしさに耐えなくなる。
【００３５】
しかしながら、本実施例では、押圧部１０を備えてこの押圧部１０により裏板３を透明体２側に付勢可能としており、これにより、カバー部６の奥行き寸法が透明体２と裏板３とを重ね合わせた場合の厚み寸法よりも大きい場合でも、透明体２と裏板３とを密着させることを可能としているため、透明体２、裏板３の厚さに影響されない挟持用クリップとすることができ、挟持用クリップに汎用性を持たせることが可能となる。
【００３６】
但し、この押圧部１０は必ずしも必要なものではなく、カバー部６における奥行き寸法が、透明体２と裏板３とを重ね合わせた場合の厚み寸法と同等の寸法であれば、特にこれを備えなくてもよい。
【００３７】
なお、図において８０１は、前記押圧部１０を押し出すことにより形成された切り欠き部である。
【００３８】
次に、このように構成される本実施例のフレーム１の作用について説明すると、本実施例のフレーム１に絵画、写真等を額装する場合には、まず、透明体２と裏板３間に絵画、写真等を挟み込む。そして、図１に示されるように、裏板３とともに絵画、写真等を挟み込んだ状態における透明体２の表面側コーナー部に係止用縁部５を係止するとともに、挟持用クリップ４の係止爪部９を、裏板３に形成した係止孔３０１内に挿入する。
【００３９】
そうすると、図３に示すように、挟持用クリップ４は、係止用縁部５とクリップ部７によって、透明体２及び裏板３をそのコーナー部において挟持した状態で維持し、これにより、枠体を用いること無く、絵画、写真等を額装することが可能である。
【００４０】
そしてこのとき、本実施例のフレーム１では、絵画、写真等を挟み込んだ状態の透明体２及び裏板３の周縁部を挟持用クリップ４で挟持するのみで良いので、透明体２と裏板３とを容易に挟持可能である。
【００４１】
また、係止爪部９を係止孔３０１内に挿入しているため、衝撃等を受けた場合でも挟持用クリップ４が脱落することがない。
【００４２】
更に、押圧部１０を用いて裏板３を透明体２側に付勢しているため、前述したように、挟持用クリップ４に汎用性を持たせることが可能である。
【００４３】
更にまた、透明体２と裏板３とをそのコーナー部で挟持するとともに、透明体２及び裏板３のコーナー部の側部をカバー部６で覆い、これにより、透明体２及び裏板３のコーナー部が露出することを防止しているため、特に透明体２をガラスで構成している場合でも、怪我等の事故を未然に防止することが可能である。
【産業上の利用可能性】
【００４４】
本考案のフレームは、挟持用クリップを用いて透明体と裏板とを、重ね合わせた状態でそのコーナー部において連結可能とし、これにより枠体を無くしているために、透明体と裏板とで絵画、写真等を挟持固定可能なフレームの全般に適用可能である。
【図面の簡単な説明】
【００４５】
【図１】本考案のフレームの実施例の斜視図である。
【図２】本考案のフレームの実施例の背面図である。
【図３】図２におけるＡ−Ａ線断面図である。
【図４】本考案のフレームの実施例における裏板の背面図である。
【図５】本考案のフレームの実施例における挟持用クリップの正面側斜視図である。
【図６】本考案のフレームの実施例における挟持用クリップの背面側斜視図である。
【符号の説明】
【００４６】
１    フレーム
２    透明体
３    裏板
３０１    係止孔
４    挟持用クリップ
５    係止用縁部
６    カバー部
７    クリップ部
８    胴部
８０１    切り欠き
９    係止爪部
９０１    連設部
９０２    舌部
１０    押圧部
【図１】
0003118907.tif 000003
【図２】
0003118907.tif 000004
【図３】
0003118907.tif 000005
【図４】
0003118907.tif 000006
【図５】
0003118907.tif 000007
【図６】
0003118907.tif 000008